(57)【特許請求の範囲】
【請求項１】
洗濯機から排出される排水又は漏水を排水トラップへ導くための排水口と、前記排水口を備えた底面部の周囲に周壁部を立設したトレイ状のパン部と、
前記パン部の底面部の裏面を当接させた状態で前記パン部と連結固定するための架台とを有し、
前記架台は、少なくとも２つの脚部と、前記パン部の底面部の裏面と連結固定するための板状部とが一体成型されてなるものであり、
前記架台と床面との間に、少なくとも排水トラップが収容可能であり、かつ前記架台の側面側から目視により少なくとも排水トラップを点検可能とする空間が形成されていることを特徴とする洗濯機用防水パン。
【請求項２】
前記架台と床面との間に形成された空間に、前記パン部の排水口に連結される排水トラップと、該排水トラップと外部排水管とを連結するための連結配管とをさらに有する請求項１に記載の洗濯機用防水パン。
【請求項３】
前記パン部の周壁部及び前記架台の内部に、給水管及び該給水管と接続されるジョイント管が収納可能であり、
前記周壁部は、所定箇所から臨出される前記ジョイント管に吐出口部材を取り付けるための第１の透孔を有し、
前記周壁部又は前記架台は、前記第１の透孔とは異なる箇所又は前記架台の所定箇所に、前記給水管の流量を調節するための流量調節ハンドルを臨出させるための第２の透孔を有し、
前記ジョイント管は、一端が前記架台の内部に配置された給水管と接続され、他端が前記架台の内部を介して前記周壁部に形成された第１の透孔から臨出し、前記吐出口部材に接続されている請求項１または２に記載の洗濯機用防水パン。
【請求項４】
前記ジョイント管が、前記位置決め部材と前記架台と床面又は前記架台と床面との間に形成された空間で露出され、該露出部分が前記架台の側面側から目視により点検可能である請求項３に記載の洗濯機用防水パン。
【請求項５】
前記位置決め部材と前記架台と床面又は前記架台と床面との間に形成された空間において、前記架台間又は前記架台の脚部間の入口部分を閉塞部材を用いて閉塞可能とした請求項１〜４のいずれか一項に記載の洗濯機用防水パン。
【請求項６】
前記パン部及び／又は前記架台が、洗濯機を載置する寸法、強度及び防水性を有する合成樹脂によって形成されている請求項１〜５のいずれか一項に記載の洗濯機用防水パン。
【請求項７】
前記合成樹脂がポリエチレン、アクリロニトリルブタジエンスチレン、ポリプロピレン、ポリ塩化ビニル、ポリスチレン、アクリル及びポリカーボネートからなる群から選ばれる少なくとも１種又は複数から構成される請求項６に記載の洗濯機用防水パン。
【請求項８】
洗濯機から排出される排水又は漏水を排水トラップへ導くための排水口と該排水口を備えた底面部の周囲に周壁部とを立設したトレイ状のパン部と、前記パン部の底部の裏面と連結固定するための架台と、前記架台の位置及び間隔を決定するための位置決め部材とを有する洗濯機用防水パンの組み立て方法であって、
洗濯機を設置すべき場所に前記架台を配置する工程Ａと、
配置された前記架台に前記位置決め部材を当接させて前記架台の位置及び間隔を決定する工程Ｂと、
前記位置決め部材を接合した架台の表面に前記パン部の底面部の裏面を連結固定する工程Ｃとを有することを特徴とする前記組み立て方法。
【請求項９】
前記工程Ｂにおける架台の位置及び間隔の決定を、前記架台の少なくとも一部に形成された段状接合面に前記位置決め部材の少なくとも一部を接合させることにより行う請求項８に記載の組み立て方法。
【請求項１０】
前記工程Ｃにおける前記架台と前記パン部との連結固定を、前記架台の側面に形成された側壁部に前記パン部の周壁部の側面を当接させた状態で行う請求項８又は９に記載の組み立て方法。
【請求項１１】
前記工程Ｃの前に、前記位置決め部材と前記架台と床面との間に形成された空間に、前記パン部の排水口に連結される排水トラップと、該排水トラップと外部排水管とを連結するための連結配管とを配備する工程Ｄをさらに有する請求項８〜１０のいずれか一項に記載の組み立て方法。
【請求項１２】
洗濯機から排出される排水又は漏水を排水トラップへ導くための排水口及び該排水口を備えた底面部の周囲に周壁部を立設したトレイ状のパン部と、少なくとも２つの脚部及び前記パン部の底面部の裏面と連結固定するための板状部が一体成型された、前記パン部の底部の裏面と連結固定するための架台とを有する洗濯機用防水パンの組み立て方法であって、
洗濯機を設置すべき場所に前記架台を配置する工程Ｅと、
配置された前記架台の板状部の表面に前記パン部の底面部の裏面を連結固定する工程Ｆとを有することを特徴とする前記組み立て方法。
【請求項１３】
前記工程Ｆの前に、前記架台と床面との間に形成された空間に、前記パン部の排水口に連結される排水トラップと、該排水トラップと外部排水管とを連結するための連結配管とを配備する工程Ｇをさらに有する請求項１２に記載の組み立て方法。
【請求項１４】
前記工程Ｃ又は前記工程Ｆの前に、前記パン部の周壁部及び前記架台の内部に、給水管及び該給水管と接続されるジョイント管を収容し、次いで前記周壁部に形成された第１の透孔から臨出した前記ジョイント管と前記吐出口部材とを連結すると共に、前記周壁部の第１の透孔とは異なる部分又は前記架台の少なくとも一部に形成された第２の透孔から臨出した給水管に流量を調節するための流量調節ハンドルを取り付ける工程Ｈを有する請求項８〜１３のいずれか一項に記載の組み立て方法。
【請求項１５】
前記位置決め部材と前記架台と床面又は前記架台と床面との間に形成された空間において、前記架台間又は前記架台の脚部間の入口部分を閉塞部材を用いて閉塞する工程Ｉをさらに有する請求項８〜１４のいずれか一項に記載の組み立て方法。
【請求項１６】
前記架台又は前記架台の脚部を床に固定する工程Ｊをさらに有する請求項８〜１５のいずれか一項に記載の組み立て方法。
【請求項１７】
洗濯機から排出される排水又は漏水を排水トラップへ導くための排水口と、前記排水口を備えた底面部の周囲に周壁部を立設したトレイ状のパン部と、
前記パン部を支持するための架台と、
前記架台を連結するためのフレーム部材と、
前記架台の位置及び間隔を決定するための位置決め部材とを有し、
前記架台の上面が、前記位置決め部材に当接された状態で、前記パン部の底面部の裏面に連結固定されていることを特徴とする洗濯機用防水パン。
【請求項１８】
前記架台が上面の少なくとも一部に、前記位置決め部材の少なくとも一部を接合させるための段状接合面、及び前記フレーム部材の端部を接合させるための段状接合面を有する請求項１７に記載の洗濯機用防水パン。
【請求項１９】
前記位置決め部材と前記フレーム部材と前記架台と床面との間に形成された空間に、前記パン部の排水口に連結される排水トラップと、該排水トラップと外部排水管とを連結するための連結配管とをさらに有する請求項１７または１８に記載の洗濯機用防水パン。
【請求項２０】
洗濯機から排出される排水又は漏水を排水トラップへ導くための排水口と該排水口を備えた底面部の周囲に周壁部とを立設したトレイ状のパン部と、前記パン部の底部の裏面と連結固定するための架台と、前記架台を連結するためのフレーム部材と、前記架台の位置及び間隔を決定するための位置決め部材とを有する洗濯機用防水パンの組み立て方法であって、
洗濯機を設置すべき場所に前記架台を配置する工程Ａと、
配置した架台をフレーム部材で連結する工程Ａ２と
配置された前記架台に前記位置決め部材を当接させて前記架台の位置及び間隔を決定する工程Ｂと、
前記位置決め部材を接合した架台の表面に前記パン部の底面部の裏面を連結固定する工程Ｃとを有することを特徴とする前記組み立て方法。
【請求項２１】
前記工程Ｂにおける架台の位置及び間隔の決定を、前記架台の少なくとも一部に形成された段状接合面に前記位置決め部材の少なくとも一部を接合させることにより行う請求項２０に記載の組み立て方法。
【請求項２２】
前記工程Ｃの前に、前記位置決め部材と前記フレーム部材と前記架台と床面との間に形成された空間に、前記パン部の排水口に連結される排水トラップと、該排水トラップと外部排水管とを連結するための連結配管とを配備する工程Ｄをさらに有する請求項２０または２１に記載の組み立て方法。
【発明の詳細な説明】
【技術分野】
【０００１】
本発明は、住宅、マンション等の浴室などの床面上に設置される洗濯機用の防水パン及びその組み立て方法に関する。
【背景技術】
【０００２】
現在、多くの住宅、マンション等では、洗濯機置場に洗濯機の排水や漏水による床面の浸水や、下階に対する漏水を防止する目的で、洗濯機用防水パンが設置されている。
【０００３】
例えば、図１１に示すように、現在の集合住宅では、洗濯機用防水パン７１を設置する場合、設置場所の床面７２を段落ちさせるか（図１１(Ａ)参照）、あるいは床面７２から所定の距離を確保した状態で仕上り床７３を嵩上げする設計により（図１１(Ｂ)参照）、洗濯機用防水パン７１の排水口７４から集合住宅の排水縦管７５までの接続排水管スペースを確保している。さらに、仕上り床７３を設けていない建築構造の場合、洗濯機用防水パンを設置できないため、床面７２に直接排水口７４を形成し、該排水口７４に排水トラップ７６を嵌合して床面下のスペースを利用して排水縦管７５に接続される（図１１(Ｃ)参照）。
【０００４】
しかし、従来のように床面７２を段落ちさせた場合、必然的に下階の天井に段差が生じてしまうため、該段差部分が下階の換気ダクトのルートや照明器具の設置等に影響を与え、設計プランが制約されるという欠点があった。一方、仕上がり床を嵩上げした場合には、嵩上げした床面７３と他の床面との間に段差を生じるため、該段差部分に足を引っ掛けて転倒するおそれがある。特に、高齢者や障害者にとっては、室内の段差は障害となり、バリアフリーの床面を設計する上で前記の段差はできる限り排除する必要がある。
【０００５】
さらに、床面７２に直接排水口７４を設けた構造の場合、例えば、下階で火災が発生したときには燃え上がる炎が排水口７４を介して上階に燃え移りやすい構造となるため、防火面で問題があった。さらに、床面７２に直接排水口７４を設けた構造は、床面７２に排水口７４が設けられていない構造よりも床面７２の耐久性が低下するという問題が指摘されていた。
【０００６】
一方、従来の防水パンは、床面を段落ちさせた場合、床面を嵩上げした場合、床面に直接排水口を形成した場合のいずれの場合においても、排水トラップや排水縦管は防水パンの下に完全に隠れてしまう。このため、防水パンを設置した建物の竣工後の検査点検や清掃を行う場合には、防水パンの排水口から手を入れて手探り状態で検査等を行う必要があったため、時間がかかり、かつ十分な点検等を行うことが困難であった。さらに、場合によっては点検等の作業中に防水パンや配水管に亀裂、破損を発生させてしまうということが多々あった。
【０００７】
このような事情に鑑み、最近では洗濯機用防水パンの底面を底上げた構造の防水パンも開発されている（例えば、特許文献１）。特許文献１の洗濯機用防水パンであれば、防水パンだけが底上げされ、床面はそのままであるため、下階の天井や床面に段差を生じることなく、バリアフリーを含めた自由な設計が可能である。しかるに、特許文献１の洗濯機用防水パンは、防水パン部の底面の外周がすべて底上げ部材により囲まれているため、排水トラップや排水縦管は防水パン部の下側に隠れてしまうため、従来の防水パンと同様、点検等の作業が不便であるという欠点がある。さらに、特許文献１の底上げ部材の幅は狭く、幅広の場合と比べると、床面は、底上げ部材から受ける圧力（負荷）が大きいため、洗濯機等の重さによっては床面に底上げ部材の跡が付いてしまったり、時には床面が窪んでしまったりする等、床面の美感を損ねる問題があった。
【０００８】
また、施工後の点検等の便宜を図るために、防水パンの底面に点検乃至補修するための蓋付き点検口を設けた洗濯機用防水パンも開発されている（例えば、特許文献２参照）。しかしながら、この防水パンは、床面を段落ちさせる構造であるため、前述のように下階の天井に段差が生じるという問題があった。
【０００９】
したがって、かねてから防水パンの施工時に下階の天井や床面における段差を生じさせることなく、かつ耐久性、点検等の作業効率を向上できる構造を有する防水パンの開発が望まれていた。
【特許文献１】特開２００２−３５４８４号公報（請求項１、図１）
【特許文献２】特開２００２−５２２９３号公報（請求項１、図１）
【発明の開示】
【発明が解決しようとする課題】
【００１０】
本発明は以上の問題点に鑑みなされたものであり、本発明の目的は、防水パンの施工時に下階の天井や床面に段差を生じさせることなく、耐久性があり、かつ施工、点検等の作業効率を大幅に向上できる洗濯機用防水パンを提供することにある。
【００１１】
本発明のもう一つの目的は、洗濯機用防水パンの設置場所を選ばず、設計時における自由度が高く、かつ施工時に簡単に組み立てられ、作業効率を大幅に向上できる洗濯機用防水パンの組み立て方法を提供することにある。
【課題を解決するための手段】
【００１２】
本発明者らは、上記課題を解決するために、防水パンの構造につき鋭意検討した結果、防水パンの施工時に下階の天井や床面に段差を生ずることなく、かつ耐久性及び点検等の作業効率における問題を解決できる構造、及び集合住宅等に設置する際に洗濯機用防水パンを簡単に組み立てられる方法を見出し、本発明を完成するに至った。
【００１３】
すなわち、本発明の目的は、洗濯機から排出される排水又は漏水を排水トラップへ導くための排水口と、前記排水口を備えた底面部の周囲に周壁部を立設したトレイ状のパン部と、前記パン部を支持するための架台と、前記架台の位置及び間隔を決定するための位置決め部材とを有し、前記架台の上面が、前記位置決め部材に当接された状態で、前記パン部の底面部の裏面に連結固定されていることを特徴とする洗濯機用防水パン（参考態様、以下「第１の防水パン」という）により達成される。
【００１４】
本発明の第１の防水パンは、前記架台が上面の少なくとも一部に段状接合面を有し、該段状接合面に前記位置決め部材の少なくとも一部を接合させることにより前記架台と前記位置決め部材とを当接させることができる。
【００１５】
本発明の第１の防水パンは、前記架台が前記パン部の周壁部の側面と前記架台の側面とを一致させた状態で、前記架台の上面に前記パン部の底面部の裏面を連結固定させるための側壁部を有することができる。
【００１６】
本発明の第１の防水パンは、前記パン部の形状が略正方形又は略長方形であり、前記架台が前記パン部の底面部の裏面の４隅に所定の間隔をあけて連結固定されていることが好ましい。
【００１７】
本発明の第１の防水パンは、前記位置決め部材と前記架台と床面との間に形成された空間に、前記パン部の排水口に連結される排水トラップと、該排水トラップと外部排水管とを連結するための連結配管とをさらに有することができる。
【００１８】
また、本発明の目的は、洗濯機から排出される排水又は漏水を排水トラップへ導くための排水口と、前記排水口を備えた底面部の周囲に周壁部を立設したトレイ状のパン部と、該パン部の底面部の裏面を当接させた状態で前記パン部と連結固定するための架台とを有し、前記架台は、少なくとも２つの脚部と、前記パン部の底面部の裏面と連結固定するための板状部とが一体成型されてなるものであり、前記架台と床面との間に、少なくとも排水トラップが収容可能であり、かつ前記架台の側面側から目視により少なくとも排水トラップを点検可能とする空間が形成されていることを特徴とする洗濯機用防水パン（以下「第２の防水パン」という）によっても達成される。
【００１９】
本発明の第２の防水パンは、前記架台と床面との間に形成された空間に、前記パン部の排水口に連結される排水トラップと、該排水トラップと外部排水管とを連結するための連結配管とをさらに有することができる。
【００２０】
本発明の第１及び第２の防水パンは、前記パン部の周壁部及び前記架台の内部に、給水管及び該給水管と接続されるジョイント管が収納可能であり、前記周壁部は、所定箇所から臨出される前記ジョイント管に吐出口部材を取り付けるための第１の透孔を有し、前記周壁部又は前記架台は、前記第１の透孔とは異なる箇所又は前記架台の所定箇所に、前記給水管の流量を調節するための流量調節ハンドルを臨出させるための第２の透孔を有し、前記ジョイント管は、一端が前記架台の内部に配置された給水管と接続され、他端が前記架台の内部を介して前記周壁部に形成された第１の透孔から臨出し、前記吐出口部材に接続されていることが好ましい。
【００２１】
本発明の第１及び第２の防水パンは、前記ジョイント管が、前記位置決め部材と前記架台と床面又は前架台と床面との間に形成された空間で露出され、該露出部分が前記架台の側面側から目視により点検できる。
【００２２】
本発明の第１及び第２の防水パンは、前記位置決め部材と前記架台と床面又は前記架台と床面との間に形成された空間において、前記架台間又は前記脚部間の入口部分を閉塞部材を用いて閉塞可能である。
【００２３】
本発明の第１及び第２の防水パンは、前記パン部、前記位置決め部材及び／又は前記架台が、洗濯機を載置する寸法、強度及び防水性を有する合成樹脂によって形成されていることが好ましい。
【００２４】
前記合成樹脂は、ポリエチレン、アクリロニトリルブタジエンスチレン、ポリプロピレン、ポリ塩化ビニル、ポリスチレン、アクリル及びポリカーボネートからなる群から選ばれる少なくとも１種又は複数から構成されていることが好ましい。
【００２５】
さらに本発明の目的は、洗濯機から排出される排水又は漏水を排水トラップへ導くための排水口と、前記排水口を備えた底面部の周囲に周壁部を立設したトレイ状のパン部と、前記パン部を支持するための架台と、前記架台を連結するためのフレーム部材と、前記架台の位置及び間隔を決定するための位置決め部材とを有し、前記架台の上面が、前記位置決め部材に当接された状態で、前記パン部の底面部の裏面に連結固定されていることを特徴とする洗濯機用防水パン（以下「第３の防水パン」という）によっても達成される。
【００２６】
本発明の第３の防水パンは、前記架台が上面の少なくとも一部に、前記位置決め部材の少なくとも一部を接合させるための段状接合面、及び前記フレーム部材の端部を接合させるための段状接合面を有することが好ましい。
【００２７】
本発明の第３の防水パンは、前記位置決め部材と前記フレーム部材と前記架台と床面との間に形成された空間に、前記パン部の排水口に連結される排水トラップと、該排水トラップと外部排水管とを連結するための連結配管とをさらに有することができる。
【００２８】
本発明のもう一つの目的は、洗濯機から排出される排水又は漏水を排水トラップへ導くための排水口と該排水口を備えた底面部の周囲に周壁部とを立設したトレイ状のパン部と、前記パン部の底部の裏面と連結固定するための架台と、前記架台の位置及び間隔を決定するための位置決め部材とを有する洗濯機用防水パンを、洗濯機を設置すべき場所に前記架台を配置する工程Ａと、配置された前記架台に前記位置決め部材を当接させて前記架台の位置及び間隔を決定する工程Ｂと、前記位置決め部材を接合した架台の表面に前記パン部の底面部の裏面を連結固定する工程Ｃを有する洗濯機用防水パンの組み立て方法（以下「第１の組み立て方法」という）により達成される。
【００２９】
本発明の第１の組み立て方法は、前記工程Ｂにおける架台の位置及び間隔の決定を、前記架台の少なくとも一部に形成された段状接合面に前記位置決め部材の少なくとも一部を接合させることにより行うことができる。
【００３０】
本発明の第１の組み立て方法は、前記工程Ｃにおける前記架台と前記パン部との連結固定を、前記架台の側面に形成された側壁部に前記パン部の周壁部の側面を当接させた状態で行うことができる。
【００３１】
本発明の第１の組み立て方法は、前記工程Ｃの前に、前記位置決め部材と前記架台と床面の間に形成された空間に、前記パン部の排水口に連結される排水トラップと、該排水トラップと外部排水管とを連結するための連結配管とを配備する工程Ｄをさらに有することができる。
【００３２】
また、本発明のもう一つの目的は、洗濯機から排出される排水又は漏水を排水トラップへ導くための排水口及び該排水口を備えた底面部の周囲に周壁部を立設したトレイ状のパン部と、少なくとも２つの脚部及び前記パン部の底面部の裏面と連結固定するための板状部を一体成型された、前記パン部の底部の裏面と連結固定するための架台とを有する洗濯機用防水パンの組み立て方法であって、洗濯機用防水パンを設置すべき場所に前記架台を配置する工程Ｅと、配置された前記架台の板状部の表面に前記パン部の底面部の裏面を連結固定する工程Ｆとを有することを特徴とする組み立て方法（以下「第２の組み立て方法」という）により達成される。
【００３３】
本発明の第２の組み立て方法は、前記工程Ｆの前に、前記架台と床面との間に形成された空間に、前記パン部の排水口に連結される排水トラップと、該排水トラップと外部排水管とを連結するための連結配管とを配備する工程Ｇをさらに有することができる。
【００３４】
本発明の第１及び第２の組み立て方法は、前記工程Ｃ又は前記工程Ｆの前に、前記パン部の周壁部及び前記架台の内部に、給水管及び該給水管と接続されるジョイント管を収容し、次いで前記周壁部に形成された第１の透孔から臨出した前記ジョイント管と前記吐出口部材とを連結すると共に、前記周壁部の前記第１の透孔とは異なる部分又は前記架台の少なくとも一部に形成された第２の透孔から臨出した給水管に流量を調節するための流量調節ハンドルを取り付ける工程Ｈをさらに有することができる。
【００３５】
本発明の第１及び第２の組み立て方法は、前記架台又は前記脚部どうしの間に形成された空間の入口部分を、閉塞部材を用いて閉塞する工程Ｉをさらに有することができる。
【００３６】
本発明の第１及び第２の組み立て方法は、前記架台又は前記架台の脚部を床に固定する工程Ｊをさらに有することができる。
【００３７】
本発明のもう一つの目的は、洗濯機から排出される排水又は漏水を排水トラップへ導くための排水口と該排水口を備えた底面部の周囲に周壁部とを立設したトレイ状のパン部と、前記パン部の底部の裏面と連結固定するための架台と、前記架台を連結するためのフレーム部材と、前記架台の位置及び間隔を決定するための位置決め部材とを有する洗濯機用防水パンの組み立て方法であって、洗濯機を設置すべき場所に前記架台を配置する工程Ａと、配置した架台をフレーム部材で連結する工程Ａ２と、配置された前記架台に前記位置決め部材を当接させて前記架台の位置及び間隔を決定する工程Ｂと、前記位置決め部材を接合した架台の表面に前記パン部の底面部の裏面を連結固定する工程Ｃとを有することを特徴とする前記組み立て方法（以下「第３の組み立て方法」という）により達成される。
【００３８】
本発明の第３の組み立て方法は、前記工程Ｂにおける架台の位置及び間隔の決定を、前記架台の少なくとも一部に形成された段状接合面に前記位置決め部材の少なくとも一部を接合させることにより行うことが好ましい。
【００３９】
本発明の第３の組み立て方法は、前記工程Ｃの前に、前記位置決め部材と前記フレーム部材と前記架台と床面との間に形成された空間に、前記パン部の排水口に連結される排水トラップと、該排水トラップと外部排水管とを連結するための連結配管とを配備する工程Ｄをさらに有することができる。
【発明の効果】
【００４０】
本発明の第１及び第３の防水パンは、架台の上面が位置決め部材に当接された状態でパン部の底面部の裏面に連結固定されている。この構成に基づき、本発明によれば、床面を段落ちさせ又は嵩上げする必要もなく、安価で耐久性に優れる洗濯機用防水パンを提供できると共に、設置後に排水管の点検・検査や清掃作業を架台の側面側から目視して行えるため、検査等の作業を確実かつ作業効率を向上させ、しかも床面に直接排水口を形成する必要もないため、床面の耐久性が確保できると共に、架台とパン部との間に形成される空間を物を収納する場所として有効に活用できる洗濯機用防水パンを提供できる。
【００４１】
また、本発明の第１及び第３の防水パンは、架台の段状接合面に位置決め部材の少なくとも一部を結合させることにより架台と位置決め部材を当接させる。この構成に基づき、本発明によれば、設置後に架台がずれることなく、優れた安定性を有する洗濯機用防水パンを提供できる。特にパン部の形状が略正方形又は略長方形であり、架台がパン部の底面部の裏面の４隅に所定の間隔をあけて、架台の側面に形成された側壁部にパン部の周壁部の側面を一致させた状態で連結固定されている場合には、極めて優れた安定性を有する洗濯機用防水パンを提供できる。
【００４２】
また、本発明の第２の防水パンは、少なくとも２つの脚部と、パン部の底面部の裏面と連結固定するための板状部とを一体成型された架台を有する。この構成に基づき、本発明によれば、施工を単純化でき、かつ設置後に架台の脚部と板状部がずれることもなく、優れた安定性を有する洗濯機用防水パンを提供できる。
【００４３】
また、本発明の第１、第２及び第３の防水パンは、パン部の周壁部と架台の内部に給水管及びジョイント管を収納可能とする。この構成に基づき、本発明によれば、壁面に給水管を設置する必要がないため、壁面の有効利用が可能であると共に、外観と施工性を向上させた洗濯機用防水パンを提供できる。特にジョイント管を位置決め部材と架台と床面又は架台と床面との間に形成された空間に露出させることにより、設置後にジョイント管の露出部分の点検・検査が架台の側面側から目視により容易に行える洗濯機用防水パンを提供できる。
【００４４】
また、本発明の第１、第２及び第３の防水パンは、位置決め部材と架台と床面又は架台と床面との間に形成された空間の架台間又は架台の脚部間の入口部分を閉塞部材を用いて閉塞できる、この構成基づき、本発明によれば、前記空間にゴミが溜まりにくく、また前記空間にボールなどの小物や犬や猫などの小動物が侵入することを防止した洗濯機用防水パンを提供できる。
【００４５】
また、本発明の第１、第２及び第３の防水パンのパン部及び／又は架台が洗濯機を載置する寸法、強度及び防水性を有する合成樹脂（例えば、ポリエチレン等）で作製した場合には、優れた耐久性を有する洗濯機用防水パンを提供できる。
【００４６】
本発明の第３の防水パンは、フレーム部材を用いること、特に、フレーム部材として金属製等の機械的強度に優れたフレーム部材を用いることで、パン部及び／又は位置決め部材に対する上からの荷重を受け止め、維持することができる。
【００４７】
本発明の第１及び第３の組み立て方法は、洗濯機用防水パンを設置すべき場所に前記架台を配置する工程と、配置された前記架台に前記位置決め部材を当接させて前記架台の位置及び間隔を決定する工程と、前記位置決め部材を接合した架台の表面に前記パン部の底面部の裏面を連結固定する工程とを有する。この構成に基づき、本発明によれば、パン部と架台とを連結固定する前に、排水トラップ、連結配管及び外部排水管の連結作業を容易に行えると共に、優れた安定性を有する洗濯機用防水パンを簡単に施工することができる。特に本発明であれば、架台の少なくとも一部に形成された段状接合面に位置決め部材の少なくとも一部を接合させるだけで、架台の位置及び間隔を簡単に決定することができ、さらに架台の側面に形成された側壁部にパン部の周壁部の側面を当接させるため、パン部の周壁部の側面と架台の側面とを一致させた状態で洗濯機用防水パンを組み立てることができる。
【００４８】
本発明の第２の組み立て方法では、少なくとも２つの脚部及びパン部の底面部の裏面と連結固定するための板状部が一体成型された架台を使用する。これにより本発明によれば、より少ない工程で安定性、耐久性に優れた洗濯機用防水パンを施工することができる。
【００４９】
また、本発明の第１、第２及び第３の組み立て方法では、パン部を架台に設置する前に、パン部の周壁部及び架台の内部に、給水管及び該給水管と接続されるジョイント管を収容し、次いで周壁部に形成された第１の透孔から臨出したジョイント管と吐出口部材とを連結すると共に、周壁部の第１の透孔とは異なる部分又は架台の少なくとも一部に形成された第２の透孔から臨出した給水管に流量を調節するための流量調節ハンドルを取り付けることができる。この構成に基づき、本発明によれば、壁から給水管を突出させる必要がないため、壁面の有効利用が可能であり、外観と施工性を向上させることができる。
【００５０】
さらに、本発明の第１、第２及び第３の組み立て方法は、位置決め部材と架台と床面又は架台と床面との間に形成された空間の架台間又は架台の脚部間の入口部分を、閉塞部材を用いて閉塞する工程を有することができる。この構成に基づき、本発明によれば、前記空間へのゴミ、小動物、ボールなどの侵入を防止可能な洗濯機用防水パンの組み立て方法を提供できる。
【発明を実施するための最良の形態】
【００５１】
以下に本発明の洗濯機用防水パン及びその組み立て方法をさらに詳細に説明する。
図１は、本発明の洗濯機用防水パンの好適な一実施例の概略説明図である。図２は、本発明の洗濯機用防水パンの一実施例の構成説明図である。図３は、本発明の洗濯機用防水パンの好適な一実施例のパン部の別の態様を示す説明図である。図４は、本発明の洗濯機用防水パンの架台の態様説明図（その１）であり、図５は、本発明の洗濯機用防水パンの架台の態様説明図（その２）である。図６は、本発明の洗濯機用防水パンにおける防止パン本体から縦配管への接続状態を示す概略断面図である。図７は、本発明の洗濯機用防水パンにおける給水管及びジョイント管の配置状態説明図である。図８は、本発明の洗濯機用防水パンの架台と床との間の空間を閉塞する状態を示した概略説明図である。図９は、本発明の洗濯機用防水パンの使用態様説明図である。図１０は、本発明の洗濯機用防水パンの排水口に取り付けることができる排水トラップを示す概略説明図である。図１１は、従来の排水構造を示す説明図である。
図１２は、本発明の第３の防水パンの一実施例の概略説明図である。
図１３は、本発明の第３の防水パンの一実施例の構成説明図である。
図１４は、本発明の第３の防水パンに用いる架台の説明図である。
図１５は、本発明の第３の防水パンに用いるフレーム部材の説明図である。
【００５２】
図１〜３において、符号１は洗濯機用防水パン本体、符号２はパン部、符号３は架台、符号４は底面部、符号５は排水口、符号６は周壁部、符号７は排水トラップ、符号８は可撓性配管、符号９は外部配水管、符号１０は位置決め部材、符号１１は載置台、符号１２は架台と床面の間に形成される空間をそれぞれ示す。
【００５３】
図１に示すように、本発明の洗濯機用防水パン本体１は、パン部２と架台３とにより構成される。パン部２は、底面部４に洗濯機から排出される排水又は漏水を排水トラップへ導くための排水口５を有しており、底面部４の周囲には周壁部６が立設されている。
【００５４】
パン部２の縦及び横の寸法は、洗濯機を載置可能な寸法であれば特に限定されず、洗濯機の寸法に応じて適宜決定できる。また、パン部２の形状は、洗濯機の形状に応じて適宜決定できるが、現在の洗濯機の大部分の形状は略正方形又は略長方形であることから、パン部２の底面部４の形状は、図１及び２に示されるように略正方形、又は図３に示すように略長方形であることが望ましい。
【００５５】
パン部２の底面部４の厚みは、図１及び３に示すように、洗濯機を載置台１１上（図１参照）又は底面部４上（図３参照）に載置した場合に十分な耐久性が得られる厚みであることが好ましい。より具体的には、例えば、図１及び２に示すようにパン部２の形状が略正方形である場合、底面部４の寸法は一辺あたり４５〜７０ｃｍ程度、厚みは０．７〜１．５ｃｍ程度とすることができる。また図３に示すように底面部４が略長方形である場合には、短辺が４５〜７０ｃｍ程度、長辺が７０〜１００ｃｍ程度、厚みは０．７〜１．５ｃｍ程度とすることができる。
【００５６】
底面部４の周囲に立設される周壁部６は、洗濯機が漏水した場合に漏水がパン部２から外部へ漏出しない程度の高さがあれば、その高さは特に限定されない。但し、周壁部６の高さが高すぎると、洗濯機の収納及び洗濯機の排水パイプと排水トラップとの連結が困難になるため、例えば周壁部６の高さは５〜１０ｃｍ程度とすることが好ましい。また、周壁部６の幅は、省スペースの観点からは小さい方が好ましく、通常２〜２．５ｃｍとすることができるが、場合に応じてそれ以上の幅とすることができる。
【００５７】
図２に示すように、底面部４に備えられた排水口５は、排水トラップ７と連結可能とするため、底面部４を開口させた構造を有する。排水口５の大きさ、形状及び位置は、特に制限はなく、例えば、排水トラップ７を排水口５で嵌合又は羅合固定できるように、排水トラップ７と排水口５とは略同径、同形状とすることができる。さらに、排水口５は、排水トラップ７と嵌合又は羅合可能とするため、排水口５の下部において排水口５の内週に沿って段部（図示せず）を形成してもよい。また、底面部４における排水口５の位置は特に限定されず、洗濯機の構造に対応させて底面部４の任意の場所に設けることができる。例えば、図１〜３に示すように、排水口５は底面部４の右側の周壁部６寄りの略中央に設置できる。
【００５８】
図１及び２に示すように、パン部２は、底面部４上に洗濯機を載置するための載置台１１を形成することもできる。載置台１１の大きさは洗濯機を載置できる程度の大きさがあればよく、特に限定されない。例えば、図１及び２に示すように、架台３の大きさと同程度の大きさとすることができる。また、パン部２は、少なくとも一部に架台３と連結固定するためのキャップ付き連結穴（図示せず）を適宜設けることもできる。
【００５９】
図１及び２に示すように、パン部２を支持するための架台３は、パン部２の底面部４より下側に設置される。架台３は、パン部２に洗濯機を載置した場合に洗濯機がぐらつくことなく、安定した状態で洗濯機を載置できるように配置される必要がある。架台３は、安定性及び耐久性の観点からは底面部４の下側に少なくとも２つ配置する必要があるが、架台３のサイズを小さくし、架台３と床面との間に形成される空間を広くとる必要がある場合には、３つ以上、好ましくは図１及び２に示すように４隅に配置することができる。
【００６０】
架台３の形状及び寸法は、洗濯機を載置した場合に安定性と耐久性を確保できるような形状及び寸法であることが望ましい。例えば、架台３の寸法はパン部２の一辺の１／５〜１／３程度の寸法であることが適当であり、架台３の高さは特に制限されず、通常１０〜１５ｃｍ程度であり、さらに設置場所の構造に応じて高くしたり低くしたりすることもできる。また架台３の形状は、略直方体又は略立方体であることができ、また図４に示すように脚部側を略直方体（図４(Ａ)）又は略立方体（図４(Ｂ)）の形状とし、上部側を正方形又は長方形の一角を角取りした形状とすることもできる。
【００６１】
図４に示すように、架台３は、その上面の少なくとも一部に位置決め部材１０の少なくとも一部を接合可能な段状接合面３ａが形成されていることが好ましい。段状接合面３ａは、架台３の形状及び位置決め部材１０の形状に対応した形状及び大きさ（接合面積）を有することが好ましい。例えば、図４（Ａ）に示すように、正方形の一辺を角取りした扇型形状や、図４（Ｂ）に示すように、長方形の一隅を角取りした形状とすることができる。また、それぞれの段状接合面３ａの大きさ（接合面積）は、位置決め部材１０を安定して結合できる程度の大きさ（接合面積）であることが適当であり、例えば、位置決め部材１０全体の面積の３０〜６０％程度の面積となるように大きさを決定することができる。
【００６２】
図４に示すように、架台３の表面には段状接合面３ａのほかに、位置決め部材１０と当接する段部３ｂを形成するための枠部材３ｃを形成することが好ましい。枠部材３ｃは、位置決め部材１０を段状接合面３ａで接合し架台３の表面に載置した後に、パン部２の底面部４の裏面と架台３の表面とを連結固定する際に段差が生じないようにするための部材である。このため、枠部材３ｃの高さ（すなわち段部３ｂの高さ）は、位置決め部材１０の厚さと略同一とするように設計することが好ましい。また、枠部材３ｃの幅は、架台３の一辺の長さから形成される段状接合面３ａの長さを減じた長さとすることができる。
【００６３】
架台３は、図４に示すように、パン部２の底面部の裏面を連結固定させたときに、パン部２の周壁部６の側面と架台３の側面とを一致させるための側壁部３ｄを形成することが好ましい。側壁部３ｄを形成することにより、パン部２を架台３と連結固定する場合に、パン部２と架台３の位置決めがしやすく、またパン部２と架台３とがずれて連結固定されることを未然に防ぐことができ、かつ連結固定後に横から応力が加わった場合に、横方向へのずれを防止することができる。側壁部３の高さは、パン部２が架台３からずれない程度の高さで形成すれば十分であり、通常１〜１０ｍｍの範囲で形成することができる。
【００６４】
架台３は、床面に固定するための固定用穴を有していてもよい（図示せず）。固定用穴を形成する位置は特に限定されないが、例えば、架台３の脚部の隅近傍に設けることができる。架台３は、例えば、木ネジや釘などを固定用穴に挿入して容易に床面と固定することができる。
【００６５】
本発明の洗濯機用防水パン本体１は、架台３の位置及び間隔を決定するために、位置決め部材１０を有する。本発明では、位置決め部材１０は、架台３のガイド部材としての役割を果たし、架台３を確実かつ正確にパン部２の底面部４の所定の位置に連結固定することができる。また、位置決め部材１０は、パン部２を架台３に取り付けた場合にパン部２の底面部４を補強する補強材としての役割を果たす。例えば、洗濯機を載置する際、又は家壁への配管作業時に、底面部４の架台３で支持されていない部分に一時的な負荷を掛けた場合であっても、位置決め部材１０により底面部４が補強されているため、底面部４に穴が開いたり破損したりすることを防ぐことができる。
【００６６】
位置決め部材１０は、架台３を所定の間隔で配置でき、かつパン部２の底面部４を補強し、かつパン部２を架台３に連結固定できれば、その形状及び大きさは限定されない。例えば、パン部２の底面部４の形状が略正方形又は略長方形である場合には、位置決め部材１０の形状は、パン部２の底面部４のサイズよりやや小さめの略正方形又は略長方形とすることが好ましい。位置決め部材１０の架台３に当接させる部分の形状は、架台３の当接部分の形状に合わせて加工（例えば、角取り）されていてもよい。
【００６７】
位置決め部材１０は、パン部２の底面部４に形成されている排水口５に排水トラップ７を設置できるようにするため、排水口５の位置に対応した挿通孔を形成することが好ましい。例えば、図２に示すように、位置決め部材１０の右辺の略中央に挿通孔１０ａを形成して、位置決め部材１０の形状を凹状とすることができる。
【００６８】
位置決め部材１０の厚さは、パン部２の底面部４を補強し、かつパン部２と架台３とを安定して連結固定する観点からは、架台３の枠部材３ｃの高さと同一又はやや薄くすることができ、より安定性を高めるためには架台３の枠部材３ｃの高さを一致させることが好ましい。
【００６９】
次に、本発明の第２の防水パンについて説明する。
本発明の第２の防水パンは、第１の防水パンと同様、洗濯機から排出される排水又は漏水を排水トラップへ導くための排水口５と、排水口５を備えた底面部４の周囲に周壁部６を立設したトレイ状のパン部２と、パン部２の底面部４の裏面を当接させた状態でパン部２と連結固定するための架台を有する。パン部２の構成は第１の防水パンと同じである。
【００７０】
図５に示すように、第２の防水パンの架台２１は、少なくとも２つの脚部２２と、パン部の底面部の裏面と連結固定するための板状部２３とが一体成型されてなるものであり、第１の防水パンにおける位置決め部材１０と架台３とが一体成型されてなるものに相当する。架台２１と床面との間には、少なくとも排水トラップが収容可能であり、かつ架台２１の側面側から目視により少なくとも排水トラップを点検可能とする空間２４が形成されている。
【００７１】
架台２１の脚部２２は、架台２１において少なくとも２つ形成されていればよく、好ましくは３つ、より好ましくは４つ形成される。脚部２２が形成される位置、形状及びサイズは特に限定されず、例えばパン部を安定して固定できる任意の位置に、立方体、直方体、円柱、断面が扇形の直方体等の任意の形状で、形成される脚部２２の数に応じて適宜サイズを変更できる。より具体的には、脚部２２を２つ形成する場合には、脚部２２の形成位置は、架台２１において脚部２２どうしが並行する位置に配置することが好ましく、サイズは、架台２１の２辺と略同一の長さで形成することが好ましい。また、空間２４をより広く形成する場合には、例えば、図５に示すように、脚部２２をコーナー（４隅）に形成し、各脚部２２のサイズをやや小さめに形成することもできる。
【００７２】
板状部２３は、パン部の排水口に嵌合又は螺合固定される排水トラップを通すための挿通孔２３ａを有することが望ましい。挿通孔２３ａは、架台２１を設置した後、工具等を用いて形成することもできるが、施工効率の観点からは、予め板状部２３に形成されていることが好ましい。挿通孔２３ａのサイズは、排水トラップを挿通可能な大きさであれば特に限定されないが、耐久性の観点からは、挿通孔２３ａのサイズは必要最小限のサイズであることが望ましい。
【００７３】
架台２１の形状は、板状部２３の表面にパン部の裏面を連結固定できる形状であれば特に限定されない。例えば、図５（Ａ）に示すように、架台２１は、それぞれの脚部２２の間に凹部（一部に挿通孔２３ａを含む）が形成され、脚部２２の上端部にはパン部を連結固定する際のずれを防止するための側壁部２２ａが形成されている形状とすることができる。また、図５（Ｂ）に示すように、架台２１は、板状部２３を略正方形又は略長方形にし、板状部２３の一部に排水トラップを通すための挿通孔２３ａを設け、板状部２３の周辺を一体成型で形成された側壁部２２ａで囲んだ形状とすることもできる。
【００７４】
本発明の洗濯機用防水パン本体１を構成するパン部２及び架台３の材料は、洗濯機を載置する寸法、強度及び防水性を有する材料であれば特に限定されない。そのような材料として、例えば、防水加工を施した木材、樹脂、耐腐食性を有する金属などが挙げられるが、中でも洗濯機を載置する寸法、強度及び防水性を有する合成樹脂であることが好ましい。具体的には、合成樹脂としては、例えば、ポリエチレン、アクリロニトリルブタジエンスチレン、ポリプロピレン、ポリ塩化ビニル、ポリスチレン、アクリル及びポリカーボネートが挙げられる。パン部２及び／又は架台３は、これらの合成樹脂から選ばれる少なくとも１種又は複数から作製されることが好ましく、特にポリエチレン又はポリプロピレンで作製されていることが好ましい。また、位置決め部材１０は、架台３の位置決めをし得るものであれば、作製される材料は特に限定されず、例えば、入手が容易であり、かつ加工が容易な合板で作製することもできる。
【００７５】
本発明の第１及び第２の防水パン本体１は、上記のとおりパン部２、架台３及び位置決め部材１０又はパン部２及び架台３から構成されているが、さらに図１及び２に示すように位置決め部材１０と架台３と床面との間に形成された空間１２、又は図５に示すように、架台３１と床面の間に形成された空間３４に、図２に示すように、パン部２の排水口５に連結可能な排水トラップ７と、排水トラップ７と外部排水管９とを連結する連結配管８を有することができる。
【００７６】
排水トラップ７はパン部の排水口５に連結され、例えば、図１０に示すように、トラップ機能をはたす防臭オワン６２と防臭パイプ６３とアワ止めパイプ６４を排水トラップ本体６１に挿脱自在に備えたものからなり、エルボを含む排水ホース取付用パイプ６７のある目皿６５を着脱自在に目皿受け６６にねじ込み、又は嵌合して指定寸法になるように調整配備することが好ましい。排水トラップ７には芯合わせを容易にするために横引き配管６８にフレキシブル管を入れた配管を接続するが、バルブソケットを入れて取付けるようにすることもできる。
【００７７】
排水トラップ７が連結される排水口５の表面は、図１０に示す目皿６５で覆われており、これを取り外せば防臭パイプ６３とアワ止めパイプ６４を取り除くことができる。このため、排水管を高圧洗浄などの清掃も容易に行えるし、排水ホース取り付け用パイプ６７も目皿６５に回転自在に連結して洗濯機排水ホース（図示せず）との取扱いを容易にできる。
【００７８】
排水トラップ７の材質は、耐水性及び耐久性を有していれば特に制限はない。例えば、排水トラップ７の材料として、ポリエステル系樹脂、アクリル系樹脂、スチレン系樹脂、オレフィン系樹脂、ポリカーボネート系樹脂、ＡＢＳ樹脂、ポリプロピレン系樹脂、ポリアリレート系樹脂、塩化ビニル樹脂及びそれらの変性ポリマー、アロイ配合物などの熱可塑性樹脂板などを用いることができる。具体的には、ポリエチレンテレフタレート、ポリエチレンナフタレート、ポリカーボネート、ポリプロピレン、ポリアクリル酸エステル、ポリスチレン、ポリ塩化ビニル等が例示され、特に排水トラップ７の内部を点検可能とする観点からは無色透明或いは有色透明の樹脂を用いることが好ましい。
【００７９】
排水トラップ７の外部排水管９側の先端には、図２に示すように、連結配管８が連結される。連結配管８は、排水トラップ７と外部排水管９とを連結できれば特に制限なく、これまで連結管として使用されている配管を用いることができる。好ましくは、屈曲自在な可撓性連結配管である。可撓性連結配管は、フレキシブルな動きが可能であり、排水トラップ７及び住宅やマンションの外部排水管９の位置を気にすることなく、最適な角度で両者を連結できる。連結配管８の内面は排水の流れがスムーズになるよう滑らかであることが好ましい。また連結配管８は、洗剤等により化学的な影響を受け難い塩化ビニルなどの材質で構成されることが好ましい。連結配管８は、適宜切断し、長さの調整が可能である。
【００８０】
連結配管８と外部排水管９との連結は、通常パン２部の下側で行われるが、例えば、図６に示すように、家壁の外側に設けられた外部排水管９（縦配管）と連結することも好ましい。壁の外側の外部排水管９と連結することにより、床面１３には開口部を設ける必要がなく、防火性と耐久性を両立できるため好ましい。
【００８１】
次に、図７に本発明の第１及び２の防水パンに共通する別の態様を示す。
図７に示すように、洗濯機用防水パン本体３１は、パン部３２の周壁部３４及び架台３３の内部に、給水管３５及び給水管３５と接続されるジョイント管３６が収納することができる。周壁部３４には、所定箇所から臨出されるジョイント管３６に吐出口部材３８を取り付けるための第１の透孔３９が形成されている。また、周壁部３４又は架台３３には、第１の透孔３９とは異なる箇所又は架台３３の所定箇所に、給水管３５の流量を調節するための流量調節ハンドル３７を臨出させるための第２の透孔４０が形成されている。ジョイント管３６は、一端が架台３３の内部に配置された給水管３５と接続され、他端が架台３３の内部を介して周壁部３４に形成された第１の透孔３９から臨出し、吐出口部材３８に接続されている。吐出口部材３８は、洗濯機の給水ホース４１と連結され、給水管３５から供給される水を洗濯機に給水することができる。
【００８２】
給水管３５とジョイント管３６を周壁部３４と架台３３の内部に形成する場合、パン部３２の周壁部３４は、少なくともジョイント管３６を、又は給水管３５及びジョイント管３６を収納できる程度の幅を有することが必要であり、周壁部３４の幅は通常２〜２．５ｃｍであるが、必要に応じて幅を広げることもできる。
【００８３】
周壁部３４は、臨出するジョイント管３６の一方の先端口に吐出口部材３８を取り付けるため第１の透孔３９を有する。第１の透孔３９は、ジョイント管３６の先端口を臨出させることができる形状及びサイズを有していれば特に限定されない。第１の透孔３９の好ましい形状は円孔である。また、第１の透孔３９を形成する位置は、周壁部３４上であれば特に限定されないが、下部に架台３３が連結固定されている箇所であることが好ましい。パン部３２の形状が略正方形又は略長方形であり、架台３３の脚部が４隅に形成されている場合には、第１の透孔３９は、周壁部３４の４隅上の少なくとも１箇所に形成されていることが好ましい。第１の透孔３９は、周壁部３４の少なくとも１箇所に形成されていればよく、２箇所以上に形成した場合には、吐出口部材３８を取り付けない箇所の透孔は、目隠し用キャップ（図示せず）などを用いて目隠しすることができる。
【００８４】
給水管３５は、開閉栓機構、給水側の接続部及び吐出側の接続部を有し、開閉栓機構側に流量調節ハンドル３７が接続され、給水側でジョイント管３６と接続される。ジョイント管３６は、給水管３５と接続可能であり、かつ耐水性を有してれば、一般的に使用される材料で形成できる。ジョイント管３６は、図７に示すように、一方の先端口が架台３３の内部に配置された給水管３５と接続され、他方の先端口が架台３３の内部を通って周壁部３４に形成された第１の透孔３９から臨出し、吐出口部材３８に接続される。
【００８５】
ジョイント管３６は、その種類は限定されず、本発明の要旨を逸脱しない範囲で変更が可能である。ジョイント管３６は、湾曲自在な（フレキシブルな）公知の管を採用することができる。ジョイント管３６は、図７では１箇所で折り曲げられている直線状であるが、本発明におけるジョイント管３６はこの形状に限定されず、例えば、曲線状やＳ字状に湾曲して架台３３及び周壁部３４の内部に収容することもできる。ジョイント管３６は、位置決め部材と架台３３と床面又は架台３３と床面との間に形成された空間で露出されていることが好ましい。ジョイント管３６が架台３３，３３の間に露出されることにより露出部分を架台３３の側面側から目視により点検、掃除等を行うことができる。
【００８６】
流量調節ハンドル３７は、給水管で一般的に用いられている調節ハンドルを用いることができる。また、流量調節ハンドル３７を臨出させる位置は給水管の形状及び設置場所に合わせて適宜決定できる。例えば、図７（Ａ）に示すように、パン部３２の周壁部３４において、第１の透孔３９が形成された箇所とは異なる箇所に第２の透孔４０を形成して、第２の透孔４０から流量調節ハンドル３７を臨出させることができる。また、図７（Ｂ）に示すように、第１の透孔３９が形成された箇所の下側に形成されている架台３３と対向する架台３３の側面に第２の透孔４０を形成して、第２の透孔４０から流量調節ハンドル３７を臨出させることもできる。
【００８７】
図８に示すように、本発明の第１及び第２の防水パン５１は、位置決め部材（図示せず）と架台５２と床面又は架台５２と床面との間に形成された空間において、架台５２，５２（又は架台の脚部）の入口部分５３を閉塞部材５４を用いて閉塞することができる。
空間の入口部分５３の閉塞方法は、特に制限はなく、例えば、図８に示すように、閉塞板５４をホルダー５５，５５’に上から差し込むことにより行うことができる。その他、図示しないが、予め入口部分５３に開閉扉を設けておく方法や入口部分５３と同一形状の蓋を嵌合する方法なども採用できる。
このように架台５２，５２間に形成された空間の入口部分５３を閉塞することにより、形成される空間内におけるゴミの堆積を少なくでき、また、該空間に外部から異物や小動物が侵入することを未然に防止できる。
【００８８】
次に、本発明の第３の防水パンについて説明する。
本発明の第３の防水パン８１は、図１２に示すように、パン部８２と、パン部８２を支持するための架台８３と、架台８３を連結するためのフレーム部材９３と、架台８３の位置及び間隔を決定するための位置決め部材９０とを有する。
【００８９】
パン部８２、架台８３及び位置決め部材９０を有することは、第１の防水パンと共通し、さらに、架台８３の上面が、位置決め部材９０に当接された状態で、前記パン部８２の底面部８４の裏面に連結固定されることも、第１の防水パンと共通する。したがって、パン部８２、架台８３及び位置決め部材９０については、第１の防水パンとほぼ同様である。
【００９０】
但し、架台８３については、図１４に示すように、上面の少なくとも一部に、位置決め部材９０の少なくとも一部を接合させるための段状接合面８３ａのみならず、フレーム部材９３の端部を接合させるための段状接合面８３ｂを有する。この点について、図１４（Ａ）に基づいて説明する。第３の防水パンに用いる架台８３は、位置決め部材９０の少なくとも一部を接合させるための段状接合面８３ａとともに、フレーム部材の端部を接合させるための段状接合面８３ｂを有する。フレーム部材の端部を接合させるための段状接合面８３ｂは、フレーム部材９３の形状とフレーム部材の使用態様に応じて適宜決定される。図１４に記載の架台８３は、図１２及び１３に示すように、２つのフレーム部材９３と連結する場合に用いられる架台８３であり、直交する２方向にフレーム部材９３の端部を接合させるための２つの段状接合面８３ｂを有する。
【００９１】
本発明の第３の防水パンにおいては、フレーム部材は、少なくとも１つ用いられる、２つ、３つまたは４つ用いられる場合があり得る。フレーム部材の使用本数と設置位置は、防水パンが設置される場所に応じて適宜決定される。従って、架台に設けられるフレーム部材の端部を接合させるための段状接合面は、フレーム部材の設置位置に応じて、直交する２方向にするか、いずれか一方にするか決定される。実際の組み立てに際しては、図１４の（Ａ）に記載のように直交する２方向に段状接合面８３ｂを有する架台８３と、いずれか一方の方向にレーム部材の端部を接合させるための段状接合面８３−１ａ及び８３−２ａを設けた架台８３−１及び８３−２（この架台は、段状接合面の位置によって２種類ある）とを用意しておき、防水パンが設置される場所に応じて適宜、使い分けられる。架台８３−１は、位置決め部材９０の少なくとも一部を接合させるための段状接合面８３−１ａとともに、フレーム部材の端部を接合させるための段状接合面８３−１ｂを１つ有する。架台８３−２は、位置決め部材９０の少なくとも一部を接合させるための段状接合面８３−２ａとともに、フレーム部材の端部を接合させるための段状接合面８３−２ｂを１つ有する。フレーム部材の端部を接合させるための段状接合面８３−１ｂ及び８３−２ｂは、フレーム部材９３の形状とフレーム部材の使用態様に応じて適宜決定される。
【００９２】
さらに本発明の第３の防水パンにおいては、フレーム部材を用いる。上述のように、フレーム部材は、少なくとも１つ用いられ、防水パンが設置される場所に応じて、２つ、３つまたは４つ用いられる場合があり得る。フレーム部材の使用本数と設置位置は、防水パンが設置される場所に応じて適宜決定される。フレーム部材は、パン部及び／又は位置決め部材に対する上からの荷重を下から受け止め、パン部及び／又は位置決め部材の破損を防止する効果を有する。フレーム部材は、このような機能を有するものであるから、金属製等の機械的強度に優れた材料からなるものであることが好ましい。しかし、防水パンの形状と寸法、及びそこに設置する洗濯機の構造と寸法によっては、パン部及び／又は位置決め部材の一部にのみ荷重が係る場合や、パン部及び／又は位置決め部材にかかる荷重が小さい場合がある。その場合には、そのような部分には、フレーム部材を設けないこともできるし、フレーム部材として、金属製等程の機械的強度は有さない、例えば、樹脂製のフレーム部材を設けることもできる。
【００９３】
フレーム部材の形状は、架台を連結することができる形状であれば足りるが、さらに、位置決め部材の端部を支持するための突起部を有することもできる。図１５に金属板を折り曲げて形成したフレーム部材９３を示すが、このフレーム部材９３は、フレーム部材本体部９３ａと位置決め部材９０の端部を支持するための突起部９３ｂとを有する。さらに、フレーム部材が位置決め部材の端部を支持するための突起部を有する場合、フレーム部材と連結する架台のフレーム部材の端部を接合させるための段状接合面には、図１４に示すように、この突起部の端部を接合させるための面８３ｃも設けることができる。
【００９４】
本発明の第３の防水パンは、フレーム部材を用い、そのために、架台の構造が一部異なるが、それ以外は、本発明の第１の防水パンと同様である。従って、位置決め部材９０とフレーム部材９３と架台８３と床面との間に形成された空間９２に、パン部の排水口８５に連結される排水トラップ８７と、排水トラップ８７と外部排水管８９とを連結するための連結配管８８とをさらに有することもできる。
【００９５】
次に、適宜図面を参照しながら本発明の洗濯機用防水パンの組み立て方法を説明する。
本発明の第１の組み立て方法は、図２に示すように、洗濯機を設置すべき場所に架台３を配置する工程Ａと、配置された架台３に位置決め部材１０を当接させて架台３の位置及び間隔を決定する工程Ｂと、位置決め部材１０を接合した架台３の表面にパン部２の底面部の裏面を連結固定する工程Ｃとを有する。
【００９６】
工程Ａにおいて、洗濯機を設置すべき場所に架台３を配置する。本発明の第１の組み立て方法は、洗濯機を設置したい場所において、洗濯機の設置方向や外部排水管が臨出している場所などを考慮して、自在に架台３を配置できる。例えば、外部排水管９が臨出されている場所の上方に位置決め部材１０の挿通孔１０ａとパン部５の排水口５が配置されるように架台３の位置を適宜決定できる。また、図２に示すように、連結配管８を用いれば、外部排水管９を中心に架台３を配置することもできる。
なお、工程Ａと同時または工程Ａの後に、図２に示すように、架台３と、位置決め部材１０と床面とにより形成される空間１２にパン部２の排水口５に連結される排水トラップ７と、排水トラップ７と外部排水管９とを連結する連結配管８とを配備しておくことが好ましい。
【００９７】
次いで、工程Ｂにおいて配置された架台３に位置決め部材１０を当接させて架台３の位置及び間隔を決定する。位置決め１０により位置決めされた架台３は、床面に固定される。この際、架台３に設けられた固定用穴（図示せず）から木ネジなどを用いて床面と架台３とを固定することが好ましい。
【００９８】
工程Ｂにおける架台３の位置及び間隔の決定は、図４に示すように、架台３の少なくとも一部に形成された段状接合面３ａに位置決め部材１０の少なくとも一部、好ましくは位置決め部材１０の４隅を接合させることにより行うことが好ましい。この際、位置決め部材１０の４隅は、架台３の段状接合面３ａに載置されると共に、架台３の枠部材３ｃの段差３ｂに当接された状態で接合されていることが好ましい。また、架台３と位置決め部材１０とを当接させる際に、設置後の架台３と位置決め部材１０のずれを防止するため、架台３の段状接合面３ａに予め接着剤を塗布することや当接後に木ネジなどを利用して固定することが好ましい。
【００９９】
次いで、工程Ｃにおいて位置決め部材１０を接合した架台３の表面にパン部２の底面部の裏面を連結固定する。この際、パン部２に設けられている連結穴（図示せず）に木ネジなどを挿入してパン部２と架台３とを連結固定することが好ましい。
【０１００】
工程Ｃにおける架台３とパン部２との連結固定は、架台３の側面に形成された側壁部３ｄにパン部２の周壁部６の側面を当接させた状態で行うことが好ましい。このように架台３とパン部２との連結固定を側壁部３に当接させることにより、パン部２の位置決めができると同時に、架台３とパン部２との間にずれを発生させず、簡単かつ確実に架台３とパン部２を連結固定できる。
【０１０１】
本発明の第１の組み立て方法は、位置決め部材１０、架台３及び床面１３により形成された空間１２に、パン部２の排水口５に連結される排水トラップ７と、排水トラップ７と外部排水管９とを連結する連結配管８とを配備する工程Ｄをさらに有することができる。工程Ｄにおいて、例えば図６に示すように、床面１３ではなく、家壁側に外部排水管（縦配管）９が設けられている場合には、排水トラップ７と外部排水管９とを連結配管を延長して接続することもできる。このような家壁面を介して排水トラップ７と外部配管９とを連結配管８で連結することにより、床面１３に開口部を設ける必要がないため、防火性と耐久性を向上することができる。
【０１０２】
本発明の第１の組み立て方法において、工程Ｄは工程Ｃの前に行うことが望ましく、特に工程Ａと同時又は工程Ｂの前に行うことが好ましい。排水トラップ７、連結配管８及び外部排水管９の連結は、排水トラップ７の先端部を連結配管８の一方の先端口に連結し、臨出した外部排水管９の先端部を連結配管８の他方の先端口に連結することにより行うことができる。
【０１０３】
次に本発明の第２の組み立て方法について説明する。
本発明の第２の組み立て方法は、洗濯機を設置すべき場所に架台２１を配置する工程Ｅと、配置された架台２１の板状部２３の表面にパン部の底面部の裏面を連結固定する工程Ｆとを有する。
【０１０４】
本発明の第２の組み立て方法において、工程Ｅは、第１の組み立て方法における工程Ａと同様に、洗濯機を設置したい場所に、洗濯機の設置方向や外部排水管が臨出している場所などを考慮して、自在に架台２１を配置できる。第２の組み立て方法では、架台２１が脚部２２と板状部２３とが一体成型されてなるものであるため、架台２１を設置するだけで架台２１の位置決めが可能である。
【０１０５】
工程Ｆにおいて、架台２１の板状部２３の表面と図２に示すパン部２の底面部４の裏面とを連結固定する。架台２１の板状部２３とパン部２の底面部４の裏面との連結固定は、第１の組み立て方法と同様に、パン部に設けられている連結穴に木ネジなどを挿入してパン部と架台２１とを連結固定することが好ましい。
【０１０６】
本発明の第２の組み立て方法は、工程Ｆの前、好ましくは工程Ｅと同時又は工程Ｅの前に、架台２１と床面との間に形成された空間２４に、図２に示すパン部２の排水口５に連結される排水トラップ７と、排水トラップ７と外部排水管９とを連結するための連結配管８とを配備する工程Ｇをさらに有することが好ましい。なお、排水トラップ７、連結配管８及び外部排水管９の接続方法は、第１の組み立て方法における工程Ｄと同じである。
【０１０７】
本発明の第１及び２の組み立て方法は、図７に示すように、パン部３２の周壁部３４及び架台３３の内部に、給水管３５及び給水管３５と接続されるジョイント管３６が収納可能である場合、工程Ｃ又は工程Ｆの前に、パン部３２の周壁部３４及び架台３３の内部に、給水管３５及び給水管３５と接続されるジョイント管３６を収容し、次いで周壁部３４に形成された第１の透孔３９から臨出したジョイント管３６と吐出口部材３８とを連結すると共に、周壁部３４の第１の透孔３９とは異なる部分又は架台３３の少なくとも一部に形成された第２の透孔４０から臨出した給水管３５に流量を調節するための流量調節ハンドル３７を取り付ける工程Ｈを有することができる。
【０１０８】
工程Ｈにおいて、パン部３２の周壁部３４及び架台３３の内部への給水管３５及びジョイント管３６の収納は、架台３３を床面に設置する際に行うことが望ましい。周壁部３４及び架台３３の内部への給水管３５及びジョイント管３６の収納は、施工現場で架台３３に給水管３５及びジョイント管３６を収納するスペースを形成することもできるが、施工効率を向上させる観点からは、予め架台３３の内部を空洞し、又は給水管３５を収容でき、かつジョイント管３６を挿通できるスペースを形成しておくことが好ましい。
【０１０９】
工程Ｈにおいて、ジョイント管３６の先端部を臨出させるための第１の透孔３９は、図７（Ａ）に示すように、周壁部３４の所定箇所に形成することができる。第１の透孔３９は、予め周壁部３４の上面に形成されていることが好ましく、パン部３２が略正方形又は略長方形である場合には、４隅に形成し、使用しない透孔は目隠し用キャップ（図示せず）ておくか、第２の透孔４０として使用することが望ましい。
【０１１０】
第２の透孔４０は、給水管３５の先端に流量調節ハンドル３７を取り付けるための第２の透孔４０を周壁部３４の第１の透孔３９とは異なる部分に形成できる。第２の透孔４０は、洗濯機の操作部分のある前方の周壁部側に形成することが好ましく、図７（Ａ）に示すように、ジョイント管３６の長さを短くする観点からは、第１の透孔３９が形成されている周壁部３４と同一辺の周壁部上に形成することがさらに好ましい。
【０１１１】
また、図７（Ｂ）に示すように、流量調節ハンドル３７を取り付けるための第２の透孔４０は、架台３３の少なくとも一部に形成することもできる。第２の透孔４０の形成位置は特に限定されないが、ジョイント管３６の湾曲をできるだけ少なくする観点からは、給水管３５とジョイント管３６とが直線状になる位置に形成されることが好ましい。
【０１１２】
工程Ｈにおいて、ジョイント管３６を給水管３５に連結させる場合、ジョイント管３６の一端を架台３３の脚部を貫通させて、架台３３の内部に配置された給水管３５と接続する。ジョイント管３６は、次いでもう一つの架台３３を貫通させて他端を周壁部３４に形成された第１の透孔３９から臨出させ、吐出口部材３８に接続する。この際、ジョイント管３６と吐出口部材３８の接続にはパッキングを用いることもできる。ジョイント管３６と給水管３５と連結する場合、位置決め部材（図２の符号１０）と架台３３と床面又は架台３３と床面との間に形成された空間で露出させることが好ましい。ジョイント管３６が架台３３，３３の間に露出されることにより露出部分を架台３３の側面側から目視により容易に点検、掃除等を行える。
【０１１３】
本発明の第１及び２の組み立て方法は、図８に示すように、位置決め部材（図２の符号１０）と架台５２と床面又は架台５２と床面との間に形成された空間において、架台５２，５２間又は架台の脚部間の入口部分５３を、閉塞部材５４を用いて閉塞する工程Ｉをさらに有することができる。
【０１１４】
工程Ｉにおいて、架台５２，５２間又は課題の脚部間の入口部分５３の閉塞は、図５の架台２１を設置する際（工程Ｅの前、間及び後）、位置決め部材１０で架台５２，５２・・・の位置及び間隔を決定する際（工程Ｂの後）、及び架台５２とパン部とを連結固定する際（工程Ｃ又は工程Ｆの間、後）のいずれの時期に行ってもよいが、架台５２とパン部との連結固定が完了した後に閉塞することが好ましい。
【０１１５】
工程Ｉにおいて、架台５２，５２間の入口部分５３の閉塞に使用する閉塞方法は、図８に示すように、分離可能な閉塞部材５４をホルダー５５、５５’に嵌め込むことにより行うことができるが、本発明ではこれに限定されず、例えば、予め入口部分５３に開閉扉を設けておく方法や入口部分５３と同一形状の蓋を嵌合する方法なども採用できる。
【０１１６】
さらに本発明の第１及び２の組み立て方法は、その他、架台３を床面に固定する工程Ｊを有することもできる。床面に架台３を固定する手段は特に限定されず、木ネジや釘などを用いて簡単に固定することができる。
【０１１７】
次に本発明の第３の組み立て方法について説明する。
本発明の第３の組み立て方法は、工程Ａと工程Ｂとの間に、配置した架台をフレーム部材で連結する工程Ａ２を有する以外、本発明の第１の組み立て方法と同様である。工程Ａ２においては、配置した架台をフレーム部材で連結する。フレーム部材９３は、図１３においては、４本使用しているが、１〜３本のフレーム部材を使用する態様があることは前述の通である。
【０１１８】
工程Ｂにおける架台８３の位置及び間隔の決定は、架台の少なくとも一部に形成された段状接合面８３ａに前記位置決め部材９０の少なくとも一部を接合させることにより行う。この点は、本発明の第１の組み立て方法と同様である。但し、前述のように、フレーム部材９３には、位置決め部材の端部を支持するための突起部９３ｂを設けることもでき、このような突起部を有するフレーム部材９３を用いる場合には、架台に位置決め部材を当接させる際、フレーム部材９３の突起部にも位置決め部材９０の端部が当接するように、設置する。これにより、架台の位置及び間隔が位置決め部材のみで決定される場合に比べて、より確実になる。
【０１１９】
さらに、本発明の第１の組み立て方法と同様に、工程Ｃの前に、位置決め部材とフレーム部材と架台と床面との間に形成された空間９２に、パン部の排水口８５に連結される排水トラップ８７と、排水トラップ８７と外部排水管８９とを連結するための連結配管８８とを配備する工程Ｄをさらに有することができる。
【産業上の利用可能性】
【０１２０】
本発明の防水パンは、住宅やマンション等の洗濯機用防水パンとして利用可能である。特に床面と架台とパン部との間に形成される空間は、例えば図９に示すように物（ヘルスメーターなど）の収納場所としても好適に利用可能である。
【図面の簡単な説明】
【０１２１】
【図１】本発明の洗濯機用防水パンの好適な一実施例の概略説明図である。
【図２】本発明の洗濯機用防水パンの一実施例の構成説明図である。
【図３】本発明の洗濯機用防水パンの好適な一実施例のパン部の別の態様を示す説明図である。
【図４】発明の洗濯機用防水パンの架台の態様説明図（その１）である。
【図５ａ】発明の洗濯機用防水パンの架台の態様説明図（その２ａ）である。
【図５ｂ】発明の洗濯機用防水パンの架台の態様説明図（その２ｂ）である。
【図６】本発明の洗濯機用防水パンにおける防止パン本体から縦配管への接続状態を示す概略断面図である。
【図７】本発明の洗濯機用防水パンにおける給水管及びジョイント管の配置状態説明図である。
【図８】本発明の洗濯機用防水パンの架台と床との間の空間を閉塞する状態を示した概略説明図である。
【図９】本発明の洗濯機用防水パンの使用態様説明図である。
【図１０】本発明の洗濯機用防水パンの排水口に取り付けることができる排水トラップを示す概略説明図である。
【図１１】従来の排水構造を示す説明図である。（Ａ）床面を段落ちさせた場合の排水構造、（Ｂ）仕上り床を嵩上げした場合の排水構造、（Ｃ）床面に直接排水口を設けた場合の排水構造
【図１２】本発明の第３の防水パンの一実施例の概略説明図である。
【図１３】本発明の第３の防水パンの一実施例の構成説明図である。
【図１４】本発明の第３の防水パンに用いる架台の説明図である。
【図１５】本発明の第３の防水パンに用いるフレーム部材の説明図である。
【符号の説明】
【０１２２】
１  洗濯機用防水パン本体
２  パン部
３  架台
３ａ  段状接合面
３ｂ  段部
３ｃ  枠部材
３ｄ  側壁部
４  底面部
５  排水口
６  周壁部
７  排水トラップ
８  可撓性配管
９  外部排水管
１０  位置決め部材
１０ａ  挿入孔
１１  載置台
１２  位置決め部材、架台及び床面との間に形成される空間
１３  床面
２１  洗濯機用防水パン本体
２２  脚部
２２ａ  側壁部
２３  板状部
２３ａ  挿通孔
２４  空間
３１  洗濯機用防水パン本体
３２  パン部
３３  架台
３４  周壁部
３５  給水管
３６  ジョイント管
３７  流量調節ハンドル
３８  吐出口部材
３９  第１の透孔
４０  第２の透孔
４１  給水ホース
５１  洗濯機用防水パン本体
５２  架台
５３  空間
５４  閉塞部材
５５，５５’  ホルダー
６１  排水トラップ本体
６２  防臭オワン
６３  防臭パイプ
６４  アワ止めパイプ
６５  目皿
６６  目皿受け
６７  排水ホース取付用パイプ
６８  横引き配管
７１  洗濯機用防水パン
７２  床面
７３  仕上り床
７４  排水口
７５  排水縦管
７６  排水トラップ
８１  洗濯機用防水パン本体
２２  パン部
８３  架台
８３ａ  段状接合面
８３ｂ  段状接合面
８４  底面部
８５  排水口
８６  周壁部
８７  排水トラップ
８８  可撓性配管
８９  外部排水管
９０  位置決め部材
９０ａ  挿入孔
９２  位置決め部材、架台及び床面との間に形成される空間
９３  フレーム部材
【図１】
0004690077.tif 000002
【図２】
0004690077.tif 000003
【図３】
0004690077.tif 000004
【図４】
0004690077.tif 000005
【図５ａ】
0004690077.tif 000006
【図５ｂ】
0004690077.tif 000007
【図６】
0004690077.tif 000008
【図７】
0004690077.tif 000009
【図８】
0004690077.tif 000010
【図９】
0004690077.tif 000011
【図１０】
0004690077.tif 000012
【図１１】
0004690077.tif 000013
【図１２】
0004690077.tif 000014
【図１３】
0004690077.tif 000015
【図１４】
0004690077.tif 000016
【図１５】
0004690077.tif 000017